(57)【要約】      （修正有）【課題】家具の結合関係を強固にするほぞ部材の構造を提供する。【解決手段】ほぞ部材１０と、第一ほぞ部材溝２１を有する第一板材料２０と、第二ほぞ部材溝３１を有する第二板材料３０とを備え、第二ほぞ部材溝３１は相互に連通される挿入用溝部３１１及び位置限定用溝部３１２で構成され、位置限定用溝部３１２は対応し合う溝底部及び開口端３１２Ｂを有する。主に、ほぞ部材１０の固定段１１が第一ほぞ部材溝２１に固結されることで、ほぞ部材１０の係合段１２が第二ほぞ部材溝３１の挿入用溝部３１１に挿入された後に、ほぞ部材１０が位置限定用溝部３１２まで移動される。位置限定用溝部３１２の広さが溝底部から開口端３１２Ｂにかけて徐々に減少するため、ほぞ部材１０が開口端３１２Ｂの方向に向けて移動すると、係合段１２が位置限定用溝部３１２の溝壁部により制限を受け、ほぞ部材１０が第二ほぞ部材溝３１から脱出できなくなり、結合される。【選択図】図１
0003204548.tif 000002
【実用新案登録請求の範囲】
【請求項１】
第一板材料に結合される結合部材と、
第二板材料に開設され、前記結合部材が挿設されることで前記第一板材料及び前記第二板材料が結合される結合用溝部と、を備えることを特徴とする、
ほぞ部材の構造。
【請求項２】
前記結合部材はほぞ部材であり、前記結合用溝部は第二ほぞ部材溝であり、前記ほぞ部材は順に接続される固定段及び係合段を有し、前記係合段は接続端及び当接端を有し、前記接続端は前記固定段に接続され、前記係合段の直径は前記接続端から前記当接端にかけて徐々に増大するように形成され、前記第一板材料には第一ほぞ部材溝が開設され、前記ほぞ部材にある固定段は前記第一ほぞ部材溝に固結されるためのものであり、前記第二板材料は前記第二ほぞ部材溝を有し、前記第二ほぞ部材溝は相互に連通される挿入用溝部及び位置限定用溝部で構成され、前記位置限定用溝部は対応し合う溝底部及び開口端を有し、前記挿入用溝部が前記位置限定用溝部まで延伸される方向が滑動方向と定義され、前記溝底部が前記開口端まで延伸される方向が深さ方向と定義され、前記滑動方向は前記深さ方向に対して垂直であり、同時に前記滑動方向及び前記深さ方向に対して垂直な方向が位置限定方向と定義され、前記位置限定用溝部の前記位置限定方向に沿う長さが広さと定義され、前記位置限定用溝部の広さは前記溝底部から前記開口端にかけて徐々に減少し、前記ほぞ部材の前記係合段は前記滑動方向に沿って前記第二ほぞ部材溝内に滑動可能に設置され、これにより、前記係合段が前記位置限定用溝部に位置され、且つ前記ほぞ部材が前記開口端の方向に向けて移動すると、前記係合段が前記位置限定用溝部の溝壁部により制限を受けることを特徴とする、請求項１に記載のほぞ部材の構造。
【請求項３】
前記固定段は円柱状を呈し、前記係合段は円錐状になり、前記第一ほぞ部材溝は円柱形を呈し、前記第一ほぞ部材溝の溝径と前記固定段の直径とは相互に対応し合い、前記挿入用溝部は円柱状であり、前記挿入用溝部の直径と前記当接端の直径とは相互に対応し合い、前記溝底部の広さと前記係合段の当接端の直径とは相互に対応し合い、前記開口端の広さと前記係合段の前記接続端とは相互に対応し合うことを特徴とする、請求項２に記載のほぞ部材の構造。
【請求項４】
前記位置限定用溝部は前記滑動方向に沿って対応し合う第一端及び第二端を有し、前記第一端は前記挿入用溝部に隣接され、２つの前記溝壁部は前記溝底部にそれぞれ案内溝が開設され、前記案内溝は前記滑動方向に沿って延伸され、前記案内溝の前記深さ方向にある長さは前記第一端から前記第二端にかけて徐々に短縮することを特徴とする、請求項２に記載のほぞ部材の構造。
【請求項５】
前記第一板材料は第一接合端面を有し、前記結合部材は前記第一接合端面に結合され、前記第二板材料は第二接合端面を有し、前記結合用溝部は前記第二接合端面に開設され、前記第一接合端面及び前記第二接合端面はそれぞれ斜面であり、前記第一接合端面及び前記第二接合端面の斜面による角度は相互に対応し合うことを特徴とする、請求項１に記載のほぞ部材の構造。
【請求項６】
前記第一板材料は第一接合端面を有し、前記第一ほぞ部材溝は前記第一接合端面に開設され、前記第二板材料は第二接合端面を有し、前記第二ほぞ部材溝は前記第二接合端面に開設され、前記第一接合端面及び前記第二接合端面はそれぞれ斜面であり、前記第一接合端面及び前記第二接合端面の斜面による角度は相互に対応し合うことを特徴とする、請求項２に記載のほぞ部材の構造。
【請求項７】
前記第一接合端面及び前記第二接合端面の斜度は共に４５度であることを特徴とする、請求項５または６の何れか１項に記載のほぞ部材の構造。
【請求項８】
前記第一接合端面及び前記第二接合端面が延伸される方向が斜度方向と定義され、前記斜度方向は前記深さ方向に対して垂直であることを特徴とする、請求項６に記載のほぞ部材の構造。
【請求項９】
２つの前記第一板材料及び２つの前記第二板材料が交互に配列され、各前記第一接合端面は各前記第二接合端面に貼付され、各前記ほぞ部材の係合段は隣接の位置限定用溝部内に係合され、矩形のキャビネットが形成されることを特徴とする、請求項６に記載のほぞ部材の構造。
【請求項１０】
前記結合部材は凸状ほぞであり、前記凸状ほぞは楕円状を呈し、前記結合用溝部はほぞ溝部であり、前記ほぞ溝部の形状は前記凸状ほぞの形状に対応されることを特徴とする、請求項１または５に記載のほぞ部材の構造。
【考案の詳細な説明】
【技術分野】
【０００１】
本考案は、ほぞ部材の構造に関する。
【背景技術】
【０００２】
一般的な家具は装設時に主に建具金物或いは接着方式により結合を行う。
【考案の概要】
【考案が解決しようとする課題】
【０００３】
しかしながら、前述した従来の結合技術、すなわち、この種の結合方式では家具の本来の外観が損なわれる上、家具自体に穿孔される溝穴が建具金物に長時間接触されると、溝穴が徐々に拡大してゆく。特に木製の家具では、木材の溝穴の陥没具合が分かりやすく、建具金物及び溝穴の結合が緩み、家具全体の堅牢性及び安全性が大きく低下する。
また、家具が解体されてから再度装設される場合、ねじ穴がねじの咬合が不十分であったり、力加減が適切ではない場合、偏移が発生しやすく、ねじ穴の歪曲、拡大或いは緩みに繋がり、その螺合の機能が喪失する。
【０００４】
前述の問題を克服するため、市場にはあり継ぎ構造を使用する家具が存在する。しかしながら、一般的なあり継ぎ構造の栓部及び溝部の間には一定の隙間を有するため、家具が結合された後に揺動してしまい、堅固にならなかった。
そこで、本考案者は上記の欠点が改善可能と考え、鋭意検討を重ねた結果、家具の装設に便利な本考案の提案に到った。すなわち、家具全体或いは一部のＤＩＹの装設を変化させ、家具の板材料の完全性を保持させ、家具の結合関係を強固にするほぞ部材の構造を提供する。
【０００５】
本考案は、このような従来の問題に鑑みてなされたものであり、その目的とするところは、家具の装設に便利で、家具の結合関係を強固にするほぞ部材構造を提供することである。
【０００６】
本考案の他の目的は、緊密に組み合わせられ、高速に定位可能なほぞ部材構造を提供することである。
【課題を解決するための手段】
【０００７】
上述した課題を解決し、上記目的を達成するための本考案に係るほぞ部材構造は、第一板材料に結合される結合部材と、第二板材料に開設され、前記結合部材が挿設されることで前記第一板材料及び前記第二板材料が結合される結合用溝部とを備えることを特徴とする。
【０００８】
好ましくは、結合部材はほぞ部材であり、結合用溝部は第二ほぞ部材溝である。ほぞ部材は順に接続される固定段及び係合段を有し、係合段は接続端及び当接端を有し、接続端は固定段に接続され、係合段の直径は接続端から当接端にかけて徐々に増大するように形成され、第一板材料には第一ほぞ部材溝が開設され、ほぞ部材にある固定段は第一ほぞ部材溝に固結されるためのものであり、第二板材料は第二ほぞ部材溝を有し、第二ほぞ部材溝は相互に連通される挿入用溝部及び位置限定用溝部で構成され、位置限定用溝部は対応し合う溝底部及び開口端を有し、挿入用溝部が位置限定用溝部まで延伸される方向が滑動方向と定義され、溝底部が開口端まで延伸される方向が深さ方向と定義され、滑動方向は深さ方向に対して垂直であり、同時に滑動方向及び深さ方向に対して垂直な方向が位置限定方向と定義され、位置限定用溝部の位置限定方向に沿う長さが広さと定義され、位置限定用溝部の広さは溝底部から開口端にかけて徐々に減少し、ほぞ部材の係合段は滑動方向に沿って第二ほぞ部材溝内に滑動可能に設置される。
これにより、係合段が位置限定用溝部に位置され、且つほぞ部材が開口端の方向に向けて移動すると、係合段が位置限定用溝部の溝壁部により制限を受ける。
【０００９】
好ましくは、固定段は円柱状を呈し、係合段は円錐状になり、第一ほぞ部材溝は円柱形を呈し、第一ほぞ部材溝の溝径と固定段の直径とは相互に対応し合い、挿入用溝部は円柱状であり、挿入用溝部の直径と当接端の直径とは相互に対応し合い、溝底部の広さと係合段の当接端の直径とは相互に対応し合い、開口端の広さと係合段の接続端とは相互に対応し合う。
【００１０】
好ましくは、位置限定用溝部は滑動方向に沿って対応し合う第一端及び第二端を有し、第一端は挿入用溝部に隣接され、２つの溝壁部は溝底部にそれぞれ案内溝が開設され、案内溝は滑動方向に沿って延伸され、案内溝の深さ方向にある長さは第一端から第二端にかけて徐々に短縮する。  
【００１１】
好ましくは、第一板材料は第一接合端面を有し、第一ほぞ部材溝は第一接合端面に開設され、第二板材料は第二接合端面を有し、第二ほぞ部材溝は第二接合端面に開設され、第一接合端面及び第二接合端面はそれぞれ斜面であり、第一接合端面及び第二接合端面の斜面による角度は相互に対応し合う。
【００１２】
好ましくは、第一接合端面及び第二接合端面の斜度は共に４５度である。
【００１３】
好ましくは、第一接合端面及び第二接合端面が延伸される方向が斜度方向と定義され、斜度方向は深さ方向に対して垂直である。
【考案の効果】
【００１４】
以上、本考案に係るほぞ部材の構造は、主にほぞ部材の固定段が第一ほぞ部材溝に固結されることで、係合段が深さ方向に沿って挿入用溝部に挿入されると共に滑動方向に沿って位置限定用溝部まで移動する。溝底部の広さと当接端の直径とは相互に対応し合い、開口端の広さと前記接続端の直径とは相互に対応し合い、また、位置限定用溝部の広さは溝底部から開口端にかけて徐々に減少する。このため、ほぞ部材が開口端の方向に向けて移動すると、係合段が位置限定用溝部の溝壁部による制限を受け、係合段は深さ方向に沿って移動できなくなり、ほぞ部材が第二ほぞ部材溝から脱出できなくなるため、前記ほぞ部材及び第二板材料が結合される。
これにより、家具の装設に便利な、家具の結合関係を強固にするほぞ部材の構造を提供するという目的を達成させる。
さらに、本考案は、ほぞ部材の係合段が挿入用溝部位から位置限定用溝部まで移動すると、係合段が案内溝に案内されて、係合段が滑動方向に沿って移動すると同時に溝底部の方向に向けて徐々に移動してゆき、ほぞ部材の構造を高速に定位させるという目的を達成させる。
【図面の簡単な説明】
【００１５】
【図１】本考案の好ましい実施形態によるほぞ部材構造を示す外観斜視図である。
【図２】本考案の好ましい実施形態によるほぞ部材構造の部分を示す外観斜視図である。
【図３】本考案の好ましい実施形態によるほぞ部材構造の部分を示す断面図である。
【図４】本考案の好ましい実施形態によるほぞ部材構造の部分を示す正面図である。
【図５】本考案の好ましい実施形態によるほぞ部材構造を示す断面図である。
【図６】本考案の好ましい実施形態によるほぞ部材構造の応用を示す概略図である。
【図７】本考案の好ましい実施形態によるほぞ部材構造の応用を示す概略図である。
【図８】本考案の好ましい実施形態によるほぞ部材構造の応用を示す概略図である。
【図９】本考案の好ましい実施形態によるほぞ部材構造を示す展開図である。
【図１０】本考案の好ましい実施形態によるほぞ部材構造を示す組立図である。
【図１１】本考案の好ましい実施形態によるほぞ部材構造を示す断面図である。
【図１２】本考案の他の実施形態によるほぞ部材構造を示す展開図である。
【図１３】本考案の他の実施形態によるほぞ部材構造の部分を示す拡大図である。
【図１４】本考案の他の実施形態によるほぞ部材構造の部分を示す拡大図である。
【図１５】本考案の他の実施形態によるほぞ部材構造を示す断面図である。
【考案を実施するための形態】
【００１６】
以下に図面を参照して、本考案を実施するための形態について、詳細に説明する。なお、本考案は、以下に説明する実施形態に限定されるものではない。
【実施例】
【００１７】
（第１実施形態）
以下、第１実施形態を図１〜１５に基づいて説明する。本考案のほぞ部材構造は、以下の部材を備える。
第一板材料２０に結合される結合部材１００。また、第二板材料３０に開設され、結合部材１００が挿設されることで第一板材料２０及び第二板材料３０が結合される結合用溝部９９。
【００１８】
本考案の第１実施形態において、結合部材１００はほぞ部材１０であり、結合用溝部９９は第二ほぞ部材溝３１である。ほぞ部材１０は順に接続される固定段１１及び係合段１２を有し、固定段１１は円柱状を呈し、係合段１２は円錐状を呈し、係合段１２は接続端１２１及び当接端１２２を有し、接続端１２１は固定段１１に接続され、係合段１２の直径は接続端１２１から当接端１２２にかけて徐々に増大する。
【００１９】
第一板材料２０には第一ほぞ部材溝２１が開設され、第一ほぞ部材溝２１は円柱形を呈し、ほぞ部材１０にある固定段１１は第一ほぞ部材溝２１内に固結されるためのものであり、第一ほぞ部材溝２１の溝径と固定段１１の直径とは相互に対応し合う。
【００２０】
また、第二板材料３０には第二ほぞ部材溝３１が開設され、第二ほぞ部材溝３１は相互に連通される挿入用溝部３１１及び位置限定用溝部３１２で構成される。
挿入用溝部３１１は円柱状であり、挿入用溝部３１１の直径と当接端１２２の直径とは相互に対応し合い、位置限定用溝部３１２は対応し合う溝底部３１２Ａ及び開口端３１２Ｂを有する。挿入用溝部３１１が位置限定用溝部３１２まで延伸される方向が滑動方向Ｘと定義され、溝底部３１２Ａが開口端３１２Ｂまで延伸される方向が深さ方向Ｙと定義され、滑動方向Ｘは深さ方向Ｙに対して垂直であり、同時に滑動方向Ｘ及び深さ方向Ｙに対して垂直な方向が位置限定方向Ｚと定義され、位置限定用溝部３１２の位置限定方向Ｚに沿う長さが広さＫと定義される。位置限定用溝部３１２の広さＫは溝底部３１２Ａから開口端３１２Ｂにかけて徐々に減少する。
溝底部３１２Ａの広さＫと係合段１２の当接端１２２の直径とは相互に対応し合い、開口端３１２Ｂの広さＫと係合段１２の接続端１２１とは相互に対応し合う。ほぞ部材１０の係合段１２は滑動方向Ｘに沿って第二ほぞ部材溝３１内に滑動可能に設置され、位置限定用溝部３１２の対向し合う二側には溝壁部３１２Ｃをそれぞれ有する。
【００２１】
係合段１２の直径は接続端１２１から当接端１２２にかけて徐々に増大するように形成され、位置限定用溝部３１２の広さＫは溝底部３１２Ａから開口端３１２Ｂにかけて徐々に減少し、且つ溝底部３１２Ａの広さＫと係合段１２の当接端１２２の直径とは相互に対応し合う。これにより、係合段１２が位置限定用溝部３１２に位置され、且つほぞ部材１０が開口端３１２Ｂの方向に向けて移動すると、係合段１２が位置限定用溝部３１２の溝壁部３１２Ｃにより制限を受け、ほぞ部材１０が位置限定用溝部３１２内から深さ方向Ｙに沿って脱出できなくなり、更に、ほぞ部材１０が位置限定用溝部３１２に緊密に組み合わせられ、従来のあり継ぎでは揺動しやすいという欠点を克服させる。
【００２２】
好ましくは、図５に示すように、位置限定用溝部３１２は滑動方向Ｘに沿って対応し合う第一端３１２Ｄ及び第二端３１２Ｅを有し、第一端３１２Ｄは挿入用溝部３１１に隣接され、２つの溝壁部３１２Ｃは溝底部３１２Ａにそれぞれ案内溝３１３が開設され、案内溝３１３は滑動方向Ｘに沿って延伸される。
案内溝３１３の深さ方向Ｙにある長さは第一端３１２Ｄから第二端３１２Ｅにかけて徐々に短縮され、案内溝３１３が概ね三角状を呈する。これにより、ほぞ部材１０の係合段１２が挿入用溝部３１１から位置限定用溝部３１２まで移動されると、係合段１２が案内溝３１３により案内され、係合段１２が滑動方向Ｘに沿って移動されると同時に溝底部３１２Ａの方向に向けて徐々に移動され、ほぞ部材の構造を高速に定位させる目的を達成させる。
【００２３】
好ましい実施態様において、本考案のほぞ部材構造は、キャビネットを高速に緊結させ、複数のキャビネット間を緊結に連結させ、２枚の板材料を緊結に接合させるために応用される（図６乃至図８参照）。
【００２４】
使用者がほぞ部材１０及び第二板材料３０を結合する場合、係合段１２を深さ方向Ｙに沿って挿入用溝部３１１に挿入させると共に滑動方向Ｘに沿って位置限定用溝部３１２まで移動させると、溝底部３１２Ａの広さＫと係合段１２の当接端１２２の直径とが相互に対応し合い、開口端３１２Ｂの広さＫと接続端１２１の直径とが相互に対応し合い、且つ位置限定用溝部３１２の広さが溝底部３１２Ａから開口端３１２Ｂにかけて徐々に減少する。これにより、ほぞ部材１０が開口端３１２Ｂの方向に向けて移動すると、係合段１２が位置限定用溝部３１２の溝壁部３１２Ｃにより制限を受けて、係合段１２が深さ方向Ｙに沿って移動できなくなり、ほぞ部材１０が第二ほぞ部材溝３１から脱出できなくなり、ほぞ部材１０及び第二板材料３０が結合される。また、ほぞ部材１０の固定段１１が第一板材料２０の第一ほぞ部材溝２１内に固結され、更に第一板材料２０及び第二板材料３０が固結される。また、第一板材料２０及び第二板材料３０はほぞ部材１０により結合され、従来の建具金物により結合されるわけではなく、第一板材料２０及び第二板材料３０の構造強度が維持され、第一ほぞ部材溝２１、第二ほぞ部材溝３１及びほぞ部材１０の結合の緊密度が更に保持される。これにより、家具の装設が便利で、家具の結合関係を強固にするほぞ部材の構造を提供する目的を達成させる。
【００２５】
好ましい実施態様において、図９乃至図１１に示すように、第一板材料２０は第一接合端面２０１を有し、第一ほぞ部材溝２１は第一接合端面２０１に開設され、第二板材料３０は第二接合端面３０１を有し、第二ほぞ部材溝３１は第二接合端面３０１に開設される。
第一接合端面２０１及び第二接合端面３０１はそれぞれ斜面であり、第一接合端面２０１及び第二接合端面３０１による斜面の角度は相互に対応し合う。特筆すべきは、角度が相互に対応し合うとは、二者の角度が同じであるか、或いは二者の角度を合わせると９０度になることを意味し、本実施態様において、第一接合端面２０１及び第二接合端面３０１の傾斜角度は共に４５度であり、第一接合端面２０１及び第二接合端面３０１が貼付される場合に緊密に接合される。これにより、係合段１２が第二ほぞ部材溝３１内に係合されると、第一接合端面２０１が第二接合端面３０１に緊密に貼付される。
【００２６】
好ましくは、第一接合端面２０１及び第二接合端面３０１が延伸される方向は斜度方向と定義され、斜度方向は深さ方向Ｙに対して垂直である。これにより、ほぞ部材１０及び第二ほぞ部材溝３１の結合関係がより緊密になる。
【００２７】
上述したように、２つの第一板材料２０及び２つの第二板材料３０が交互に配列されると、各第一接合端面２０１が各第二接合端面３０１に貼付され、且つ各ほぞ部材１０の係合段１２が隣接される位置限定用溝部３１２内に係合され、矩形のキャビネットＣが形成される。また、キャビネットＣは収納空間Ｃ１を有し、収納空間Ｃ１は使用者が実際の需要に基づいて様々な物品を収納するために使用される。
キャビネットＣが第一板材料２０に平行な外力を受けた場合、第一板材料２０の第一接合端面２０１が第二板材料３０の第二接合端面３０１に当接されて支持される。反対に、キャビネットＣが第二板材料３０に平行な外力を受けた場合、第二板材料３０の第二接合端面３０１が第一板材料２０の第一接合端面２０１に当接されて支持される。また、外力が大きい程、第一接合端面２０１及び第二接合端面３０１の間の緊密度も高まる。換言すれば、第一接合端面２０１及び第二接合端面３０１の相互に対応し合う斜度の設計によりキャビネットＣが好ましい支持強度及び堅牢性を有するため、キャビネットＣの上方に使用者が乗ったり、重い物を入れることができる。
【００２８】
また、本考案の他の実施形態によるほぞ部材構造は、結合部材１００は凸状ほぞ６０であり、凸状ほぞ６０は楕円状を呈し、結合用溝部９９はほぞ溝部７０であり、ほぞ溝部７０の形状は凸状ほぞ６０の形状に対応される（図１２乃至図１５参照）。
【００２９】
以上、本考案の実施形態について図面を参照して詳述したが、具体的な構成はこの実施形態に限られるものではなく、本考案の要旨を逸脱しない範囲の設計変更等も含まれる。
【符号の説明】
【００３０】
１０      ほぞ部材
１１      固定段
１２      係合段
１２１    接続端
１２２    当接端
２０      第一板材料
２０１    第一接合端面
２１      第一ほぞ部材溝
３０      第二板材料
３０１    第二接合端面
３１      第二ほぞ部材溝
３１１    挿入用溝部
３１２    位置限定用溝部
３１２Ａ  溝底部
３１２Ｂ  開口端
３１２Ｃ  溝壁部
３１２Ｄ  第一端
３１２Ｅ  第二端
３１３    案内溝
６０      凸状ほぞ
７０      ほぞ溝部
９９      結合用溝部
１００    結合部材
Ｃ        キャビネット
Ｃ１      収納空間
Ｋ        広さ
Ｘ        滑動方向
Ｙ        深さ方向
Ｚ        位置限定方向
【図１】
0003204548.tif 000003
【図２】
0003204548.tif 000004
【図３】
0003204548.tif 000005
【図４】
0003204548.tif 000006
【図５】
0003204548.tif 000007
【図６】
0003204548.tif 000008
【図７】
0003204548.tif 000009
【図８】
0003204548.tif 000010
【図９】
0003204548.tif 000011
【図１０】
0003204548.tif 000012
【図１１】
0003204548.tif 000013
【図１２】
0003204548.tif 000014
【図１３】
0003204548.tif 000015
【図１４】
0003204548.tif 000016
【図１５】
0003204548.tif 000017